(57)【要約】【課題】先端電極の向きを変えるために操作部を手元側で軸線周りに回転させても高周波電源コードが操作部にからみ付かず、また、先端電極の向きを変える操作をスムーズに行うことができる内視鏡用高周波処置具を提供すること。【解決手段】操作部１０において操作ワイヤ３の周囲を囲む円形の外形形状に形成されて操作ワイヤ３と電気的に導通する外周接点１６が外周部に配置された回転受け軸１４と、回転受け軸１４の外周部に軸線周りに回転自在に嵌合配置されて、外部の高周波電源と接続される電源接続手段２０に電気的に導通する内周接点１７が内周部に配置された回転環１２とが設けられ、外周接点１６と内周接点１７の少なくとも一方が円環状に形成されて、回転受け軸１４に対する回転環１２の回転状態のいかんに係わらず、外周接点１６と内周接点１７とが常に接触して電気的に接続される。【選択図】      図１
2008253541.tif 000002
【特許請求の範囲】
【請求項１】
内視鏡の処置具挿通チャンネルに挿脱される電気絶縁性の可撓性シースと、
上記可撓性シースの先端に可動に配置された先端電極を動作させるために上記可撓性シース内に軸線方向に進退自在に挿通配置された導電性の操作ワイヤと、
上記可撓性シースの基端に連結されて上記操作ワイヤを軸線方向に進退操作するためのスライド操作部材が配置された操作部と、
上記操作部において上記操作ワイヤの周囲を囲む円形の外形形状に形成されて上記操作ワイヤと電気的に導通する外周接点が外周部に配置された回転受け軸と、
上記回転受け軸を囲む筒状に形成されて上記回転受け軸の外周部に軸線周りに回転自在に嵌合配置され、外部の高周波電源と接続される電源接続手段に電気的に導通する内周接点が内周部に配置された回転環とが設けられ、
上記外周接点と上記内周接点の少なくとも一方が円環状に形成されて、上記回転受け軸に対する上記回転環の回転状態のいかんに係わらず、上記外周接点と上記内周接点とが常に接触して電気的に接続されるようにしたことを特徴とする内視鏡用高周波処置具。
【請求項２】
上記可撓性シースが、内視鏡の処置具挿通チャンネルに挿脱される可撓性の外側シースと、上記外側シース内に軸線周りに回転自在に全長にわたって挿通配置された可撓性の内側シースとの二重構造に形成されて、上記操作ワイヤが上記内側シース内に軸線方向に進退自在に挿通配置され、上記操作部が上記内側シースの基端に軸線周りに回転しないよう連結されて、上記回転環が上記外側シースの基端に取り付けられている請求項１記載の内視鏡用高周波処置具。
【請求項３】
上記操作ワイヤが、互いの間が電気的に絶縁された一対の操作ワイヤであって、各操作ワイヤに電気的に導通する外周接点とその外周接点に接触する内周接点とが、軸線方向に位置をずらして各々一対設けられている請求項１又は２記載の内視鏡用高周波処置具。
【請求項４】
上記電源接続手段が、上記回転環から延出する高周波電源コードである請求項１、２又は３記載の内視鏡用高周波処置具。
【請求項５】
上記電源接続手段が、外部の高周波電源コードを接続／分離自在なように上記回転環に設けられた電源接続端子である請求項１、２又は３記載の内視鏡用高周波処置具。
【発明の詳細な説明】
【技術分野】
【０００１】
この発明は内視鏡用高周波処置具に関する。
【背景技術】
【０００２】
内視鏡用高周波処置具は一般に、内視鏡の処置具挿通チャンネルに挿脱される電気絶縁性の可撓性シースの先端に可動の先端電極が配置されて、その先端電極を動作させるために可撓性シース内に軸線方向に進退自在に挿通配置された導電性の操作ワイヤを、可撓性シースの基端に連結された操作部で進退操作することができるように構成されている。
【０００３】
そのような操作部には、操作ワイヤの基端を軸線方向に進退操作するためのスライド操作部材が配置されていて、外部の高周波電源コードを接続するための電源接続端子が操作ワイヤの基端に導通する状態にスライド操作部材に配置されている（例えば、特許文献１）。
【特許文献１】特開２００５−２９６３０４
【発明の開示】
【発明が解決しようとする課題】
【０００４】
上述のような従来の内視鏡用高周波処置具においては、内視鏡の処置具挿通チャンネルに通された状態で先端電極の向きを変える必要が生じた時、可撓性シース及びそれと一体に連結された操作部を軸線周りに回転させると、高周波電源コードを接続するための電源接続端子が操作部のスライド操作部材に設けられているため、操作部に高周波電源コードがからみ付いて操作性を著しく損なってしまう問題が生じる。そのような問題は、高周波電源コードが二本になるバイポーラ型の内視鏡用高周波処置具でより顕著になる。
【０００５】
また、操作部を手元側から軸線周りに回転させても、可撓性シースが曲がりくねった処置具挿通チャンネル内で受ける抵抗等により、先端電極が軸線周りにスムーズに回転しない場合が少なくない。
【０００６】
本発明は、先端電極の向きを変えるために操作部を手元側で軸線周りに回転させても高周波電源コードが操作部にからみ付かず、また、先端電極の向きを変える操作をスムーズに行うことができる内視鏡用高周波処置具を提供することを目的とする。
【課題を解決するための手段】
【０００７】
上記の目的を達成するため、本発明の内視鏡用高周波処置具は、内視鏡の処置具挿通チャンネルに挿脱される電気絶縁性の可撓性シースと、可撓性シースの先端に可動に配置された先端電極を動作させるために可撓性シース内に軸線方向に進退自在に挿通配置された導電性の操作ワイヤと、可撓性シースの基端に連結されて操作ワイヤを軸線方向に進退操作するためのスライド操作部材が配置された操作部と、操作部において操作ワイヤの周囲を囲む円形の外形形状に形成されて操作ワイヤと電気的に導通する外周接点が外周部に配置された回転受け軸と、回転受け軸を囲む筒状に形成されて回転受け軸の外周部に軸線周りに回転自在に嵌合配置され、外部の高周波電源と接続される電源接続手段に電気的に導通する内周接点が内周部に配置された回転環とが設けられ、外周接点と内周接点の少なくとも一方が円環状に形成されて、回転受け軸に対する回転環の回転状態のいかんに係わらず、外周接点と内周接点とが常に接触して電気的に接続されるようにしたものである。
【０００８】
なお、可撓性シースが、内視鏡の処置具挿通チャンネルに挿脱される可撓性の外側シースと、外側シース内に軸線周りに回転自在に全長にわたって挿通配置された可撓性の内側シースとの二重構造に形成されて、操作ワイヤが内側シース内に軸線方向に進退自在に挿通配置され、操作部が内側シースの基端に軸線周りに回転しないよう連結されて、回転環が外側シースの基端に取り付けられていてもよい。
【０００９】
また、操作ワイヤが、互いの間が電気的に絶縁された一対の操作ワイヤであって、各操作ワイヤに電気的に導通する外周接点とその外周接点に接触する内周接点とが、軸線方向に位置をずらして各々一対設けられていてもよい。
【００１０】
また、電源接続手段が、回転環から延出する高周波電源コードであってもよく、或いは、外部の高周波電源コードを接続／分離自在なように回転環に設けられた電源接続端子であってもよい。
【発明の効果】
【００１１】
本発明によれば、回転受け軸に対する回転環の回転状態のいかんに係わらず外周接点と内周接点とが常に接触して電気的に接続される構成により、先端電極の向きを変えるために操作部を手元側で軸線周りに回転させても高周波電源コードが操作部にからみ付かず、さらに、可撓性シースを内外二重の構造にすることにより、その間での軸線周りの回転がスムーズに行われて、先端電極の向きをスムーズに変えることができる。
【発明を実施するための最良の形態】
【００１２】
内視鏡の処置具挿通チャンネルに挿脱される電気絶縁性の可撓性シースと、可撓性シースの先端に可動に配置された先端電極を動作させるために可撓性シース内に軸線方向に進退自在に挿通配置された導電性の操作ワイヤと、可撓性シースの基端に連結されて操作ワイヤを軸線方向に進退操作するためのスライド操作部材が配置された操作部と、操作部において操作ワイヤの周囲を囲む円形の外形形状に形成されて操作ワイヤと電気的に導通する外周接点が外周部に配置された回転受け軸と、回転受け軸を囲む筒状に形成されて回転受け軸の外周部に軸線周りに回転自在に嵌合配置され、外部の高周波電源と接続される電源接続手段に電気的に導通する内周接点が内周部に配置された回転環とが設けられ、外周接点と内周接点の少なくとも一方が円環状に形成されて、回転受け軸に対する回転環の回転状態のいかんに係わらず、外周接点と内周接点とが常に接触して電気的に接続されるようにする。
【実施例】
【００１３】
以下、図面を参照して本発明の実施例を説明する。
図２は、内視鏡用高周波処置具の全体構成を示しており、電気絶縁性の可撓性シース１（外側シース１ｏと内側シース１ｉの二重構造）の最先端部分に取り付けられた電極支持枠体４に、導電性の一対の先端電極２が前方に向かって開閉自在に支持されている。
【００１４】
この実施例の内視鏡用高周波処置具はバイポーラ型であり、可撓性シース１内には、導電性の二本の操作ワイヤ３が互いに接触しないように並列に挿通配置されていて、各操作ワイヤ３の先端が先端電極２に個別に接続されている。
【００１５】
可撓性シース１の基端には操作部１０が連結されており、長手方向にスリット１１ａが形成された操作部本体１１の先端部分に回転環１２が軸線周りに回転自在に取り付けられている。
【００１６】
そして、図３に拡大図示されるように、その回転環１２の先端部分に外側シース１ｏの基端が連結固定されている。１Ａは、外側シース１ｏの基端付近の周囲を囲む状態に設けられた折れ止めチューブである。
【００１７】
図２に戻って、可撓性シース１の基端から並んで引き出されて操作部本体１１のスリット１１ａ内に延出する二本の操作ワイヤ３には、各々例えばステンレスパイプ材等からなる補強パイプ３ｐが固定的に被覆されていて、その基端部分３ａが、操作部本体１１にスライド自在に係合するスライド操作部材１３に固定されている。
【００１８】
その結果、スライド操作部材１３を操作部本体１１に沿って（即ち、軸線方向に）スライド操作することにより、操作ワイヤ３の進退動作を介して先端電極２が嘴状に開閉する。なお、スライド操作部材１３と操作部本体１１とは軸線周りには一体に回転する。
【００１９】
回転環１２からは、図示されていない高周波電源装置に接続される高周波電源コード２０（電源接続手段）が延出している。高周波電源コード２０は、回転環１２において操作ワイヤ３と電気的に接続されているが、その部分の説明は後述する。
【００２０】
図４は内視鏡用高周波処置具の先端部分を示しており、図示されていない内視鏡の処置具挿通チャンネルに挿脱される外側シース１ｏは、例えば四フッ化エチレン樹脂チューブ等のような滑りのよい電気絶縁性の可撓性チューブにより形成されている。
【００２１】
外側シース１ｏの最先端部分には、略円筒状の先端支持筒５が外側シース１ｏと先端面が揃う位置まで圧入された状態に内挿固定され、先端支持筒５の外周に突出する小さな尖状の突起が外側シース１ｏの内周面に食い込んで固定されている。
【００２２】
電極支持枠体４は電気絶縁材により形成されて、その後端部分に形成された細径部は先端支持筒５内に差し込み係合され、電極支持枠体４が、先端支持筒５の軸線周り（即ち、外側シース１ｏの最先端部分の軸線周り）に回転自在に但し軸線方向には移動できない状態になっている。
【００２３】
そして、導電性金属からなる一対の先端電極２に対して各々一体に形成された一対の駆動アーム２ａが、電極支持枠体４に形成されたスリット４ａ内に配置されて、スリット４ａを横断する状態に電極支持枠体４に取り付けられた支軸６に回動自在に支持されており、一対の先端電極２が、互いの間が電気絶縁された状態で支軸６を中心に前方に向かって嘴状に開閉する。
【００２４】
外側シース１ｏ内には、一対の操作ワイヤ３が電気的に分離された状態で軸線方向に進退自在に挿通された電気絶縁性の内側シース１ｉが、軸線周りに回転自在に緩く全長にわたって挿通配置されて、可撓性シース１が二重構造になっている。
【００２５】
この実施例の内側シース１ｉは、一対のガイド孔８が軸線方向に貫通して形成された例えば四フッ化エチレン樹脂材等のような滑りのよい合成樹脂材等からなるマルチルーメンチューブにより形成されていて、そのガイド孔８内に、一対の操作ワイヤ３が一本ずつ個別に挿通配置されている。
【００２６】
したがって操作ワイヤ３どうしは電気的に導通しない状態に互いの間が内側シース１ｉにより完全に絶縁されている。なお、各操作ワイヤ３は、各ガイド孔８内で軸線方向に進退自在なように各ガイド孔８内に緩く挿通されている。
【００２７】
各操作ワイヤ３としては、例えば導電性のステンレス鋼線からなる複数の素線が一本の芯線３ｂの周りに撚り合わされて形成された撚り線が用いられ、各操作ワイヤ３が内側シース１ｉのガイド孔８から前方（図４において下方）に延出する部分では、各操作ワイヤ３から芯線３ｂ以外の素線が切除されている。
【００２８】
そして、切除されずに残されている操作ワイヤ３の各芯線３ｂが先端支持筒５内を通過してその先端部分が駆動アーム２ａの後端部分に連結され、内側シース１ｉのガイド孔８から延出する少なくとも一方の操作ワイヤ３の芯線３ｂには電気絶縁被覆７が施されて、一対の操作ワイヤ３どうしが電気的に導通しないように絶縁されている。
【００２９】
したがって、一対の操作ワイヤ３が操作部１０側から軸線方向に押し込み操作されると、それによって一対の先端電極２が嘴状に開閉動作をし、一対の先端電極２の間に患部等を挟み込んで高周波電流を通電することで高周波処置を行うことができる。
【００３０】
また、外側シース１ｏが固定された状態で内側シース１ｉが基端側から軸線周りに回転操作されると、その回転がそのまま先端電極２に伝達されて、一対の先端電極２が電極支持枠体４と共に軸線周りに回転する。
【００３１】
図１は、回転環１２部分の内部構造を示しており、内側シース１ｉの基端は操作部本体１１の先端に連結固着されている。したがって、内側シース１ｉ内に挿通配置されている操作ワイヤ３は操作部本体１１に対して軸線周りに回転しない。
【００３２】
１４は、内側シース１ｉとの連結部に隣接して操作部本体１１の先端部分に、一対の操作ワイヤ３の周囲を囲む円形の外形形状に形成された電気絶縁性の回転受け軸であり、その外周面には、一対の操作ワイヤ３と電気的に導通する円環状の一対の外周接点１６が、互いに間に軸線方向に間隔をあけて配置されている。
【００３３】
回転受け軸１４内には、互いの間が電気的に絶縁された一対の導電金属製のワイヤ通過管１５が軸線方向に真っ直ぐに固定的に配置され、各ワイヤ通過管１５内に操作ワイヤ３と補強パイプ３ｐが軸線方向に進退自在に通されている。その結果、操作ワイヤ３の進退操作状態に係わらず、各ワイヤ通過管１５はその中に通っている操作ワイヤ３と補強パイプ３ｐを介して常に電気的に導通している。
【００３４】
そして、一対のワイヤ通過管１５の中の一方は一対の外周接点１６の一方と電気的に接続され、他方のワイヤ通過管１５は他方の外周接点１６と接続されているので、一対の外周接点１６は一対の操作ワイヤ３と常に個別に電気的につながっている。
【００３５】
回転環１２は、電気絶縁材により回転受け軸１４を囲む円筒状に形成されて、回転受け軸１４の外周部に軸線周りに回転自在に嵌合配置されていて、例えば回転受け軸１４側の凹溝と回転環１２側の突起とで形成された抜け止め係合部Ａにより、回転受け軸１４に対して軸線方向に移動しない状態になっている。ただし、軸線方向への移動を規制する手段はその他の構成であってもよい。
【００３６】
そして、前述のように回転環１２の先端に外側シース１ｏの基端が連結固着されているので、外側シース１ｏが内視鏡の処置具挿通チャンネルに通された状態において、回転環１２を手で動かないように保持して操作部本体１１を軸線周りに回転させれば、操作ワイヤ３が通されている内側シース１ｉが外側シース１ｏ内で軸線周りに回転して、可撓性シース１の先端で先端電極２の向きを自由に変えることができる。
【００３７】
そのような回転環１２には、一対の外周接点１６と接触する一対の内周接点１７が、外周接点１６の位置に合わせて軸線方向に互いの間隔をあけて内周面に露出する状態に配置されている。
【００３８】
図６は、外周接点１６と内周接点１７の関係を略示しており、外周接点１６が円環状に形成されていることにより、外周接点１６と内周接点１７とは、回転受け軸１４に対する回転環１２の回転状態のいかんに係わらず常に接触して電気的に導通している。なお、内周接点１７側を円環状に形成することにより、外周接点１６と内周接点１７とが常に接触して電気的に導通するように構成してもよく、外周接点１６と内周接点１７の双方を円環状に形成してもよい。
【００３９】
そして、図２におけるＶ−Ｖ断面を図示する図５にも示されるように、回転環１２から延出する高周波電源コード２０と各内周接点１７とが電気的に接続されていて、高周波電源コード２０の二つの接続プラグを外部の高周波電源に接続することにより、一対の操作ワイヤ３が高周波電源の正極と負極とに個別に接続された状態になる。
【００４０】
このような構成により、本発明の内視鏡用高周波処置具は、回転環１２を保持して操作部本体１１を軸線周りに回転させることで、高周波電源コード２０が操作部１０にからみ付くことなく可撓性シース１の先端において先端電極２の向きを任意に変えることができる。
【００４１】
なお、本発明は上記実施例に限定されるものではなく、例えば回転環１２に高周波電源コード２０を固定的に接続するのではなく、図７に示されるように、高周波電源コード２０を接続／分離自在に接続することができる電源接続端子３０を回転環１２に設けてもよい。
【００４２】
また、先端電極２は嘴状に開閉するものに限らずどのような形状の先端電極２を有する高周波処置具であっても本発明を適用することができる。また、外側シース１ｏを省略して回転環１２だけを操作部１０の先端で軸線周りに回転自在に配置した構成にしてもよい。
【００４３】
また、本発明をモノポーラ型の内視鏡用高周波処置具に適用してもよい。
【図面の簡単な説明】
【００４４】
【図１】本発明の第１の実施例の内視鏡用高周波処置具の操作部の先端部分付近の側面断面図である。
【図２】本発明の第１の実施例の内視鏡用高周波処置具の全体構成を示す平面図である。
【図３】本発明の第１の実施例の内視鏡用高周波処置具の可撓性シースの基端部付近の側面断面図である。
【図４】本発明の第１の実施例の内視鏡用高周波処置具の先端部分の側面断面図である。
【図５】本発明の第１の実施例の内視鏡用高周波処置具の図２におけるＶ−Ｖ断面図である。
【図６】本発明の第１の実施例の内視鏡用高周波処置具の接点部分を略示する斜視図である。
【図７】本発明の第２の実施例の内視鏡用高周波処置具の断面図（図２におけるＶ−Ｖ断面に対応する断面図）である。
【符号の説明】
【００４５】
１  可撓性シース
１ｉ  内側シース
１ｏ  外側シース
２  先端電極
３  操作ワイヤ
１０  操作部
１２  回転環
１３  スライド操作部材
１４  回転受け軸
１６  外周接点
１７  内周接点
２０  高周波電源コード（電源接続手段）
３０  電源接続端子（電源接続手段）
【図１】
2008253541.tif 000003
【図２】
2008253541.tif 000004
【図３】
2008253541.tif 000005
【図４】
2008253541.tif 000006
【図５】
2008253541.tif 000007
【図６】
2008253541.tif 000008
【図７】
2008253541.tif 000009